(57)【要約】【課題】  検出感度を適切に高めることが可能な分析装置用マイクロチップを提供すること。【解決手段】  分析対象である特定成分がｘ方向に移動しつつ他の成分から分離される分離流路２２と、分離流路２２に対してｘ方向下流側に繋がっており、ｙ方向寸法およびｘ方向およびｙ方向のいずれに対しても直角である方向における寸法のいずれもが分離流路２２よりも大である拡大断面部を有し、かつ分析のための光が透過する光透過部２４と、を備える。【選択図】  図３
2012068214.tif 000002
【特許請求の範囲】
【請求項１】
分析対象である特定成分が第１の方向に移動しつつ他の成分から分離される分離流路と、
上記分離流路に対して上記第１の方向下流側に繋がっており、かつ上記第１の方向に対して直角である第２の方向における寸法および上記第１および第２の方向のいずれに対しても直角である第３の方向における寸法のいずれもが上記分離流路よりも大である拡大断面部を有し、かつ分析のための光が透過する光透過部と、
を備える、分析装置用マイクロチップ。
【請求項２】
上記光透過部は、上記拡大断面部と上記分離流路との間に介在し、かつ上記第１の方向において上流側から下流側に向かうほど上記第２および第３の方向における寸法が大となる徐変部をさらに有する、請求項１に記載の分析装置用マイクロチップ。
【請求項３】
上記分離流路と上記拡大断面部とは、上記第２方向における寸法と上記第３方向における寸法との比が同一である、請求項１または２に記載の分析装置用マイクロチップ。
【請求項４】
上記分離流路および上記拡大断面部の上記第２方向における寸法と上記第３方向における寸法との比は、いずれも０．８以上１．２以下である、請求項１ないし３のいずれかに記載の分析装置用マイクロチップ。
【請求項５】
互いに貼り合わされた２つの基板を備えており、
上記分離流路および上記光透過部は、上記２つの基板に形成された溝によって構成されている、請求項１ないし４のいずれかに記載の分析装置用マイクロチップ。
【請求項６】
上記分離流路と上記拡大断面部とは、上記第２および第３方向中心位置が一致している、請求項１ないし５のいずれかに記載の分析装置用マイクロチップ。
【請求項７】
互いに貼り合わされた２つの基板を備えており、
上記光透過部は、上記２つの基板のいずれか一方のみに形成された溝によって構成されている、請求項１ないし４のいずれかに記載の分析装置用マイクロチップ。
【請求項８】
上記溝が形成された上記基板には、厚さ方向において上記光透過部と重なり、かつ上記光透過部を透過した光が入射する底面を有する受光側凹部が形成されている、請求項７に記載の分析装置用マイクロチップ。
【請求項９】
上記分離流路および上記光透過部の断面形状は、矩形状である、請求項１ないし８のいずれかに記載の分析装置用マイクロチップ。
【請求項１０】
上記分離流路および上記光透過部の断面形状は、円形状である、請求項１ないし６のいずれかに記載の分析装置用マイクロチップ。
【請求項１１】
キャピラリー電気泳動法を用いた分析を行う分析装置に装てんされる、請求項１ないし１０のいずれかに記載の分析装置用マイクロチップ。
【発明の詳細な説明】
【技術分野】
【０００１】
本発明は、たとえば電気泳動法を用いた分析装置用マイクロチップに関する。
【背景技術】
【０００２】
試料に含まれる特定成分の濃度もしくは量を分析する分析方法として、たとえば、キャピラリー電気泳動法を用いた分析方法が広く実施されている。キャピラリー電気泳動法は、断面積が比較的小である分離流路に泳動液を充填し、さらに上記分離流路の一端寄りに上記試料を導入する。上記分離流路の両端に電圧を加えると、電気泳動により上記泳動液が正極側から負極側へと移動する電気浸透流が生じる。また、上記電圧が印加されることにより、上記特定成分は、それぞれの電気泳動移動度に応じて移動しようとする。したがって、上記特定成分は、上記電気浸透流の速度ベクトルと上記電気泳動による移動の速度ベクトルとを合成した速度ベクトルにしたがって移動する。この移動によって、上記特定成分が他の成分から分離される。この分離された特定成分をたとえば光学的手法によって検出することにより、上記特定成分の量や濃度を分析することができる。
【０００３】
図１０は、従来の分析装置の一例を示している（たとえば、特許文献１参照）。同図に示された分析装置Ｘは、マイクロチップ９１および電圧印加手段９２を備えている。マイクロチップ９１には、導入槽９１１、排出槽９１３、およびこれらを繋ぐ分離流路９１２が形成されている。導入槽９１１および分離流路９１２には、分析に先立ってたとえば導入ノズル９３によって泳動液Ｌｑが充填される。試料容器Ｂには、たとえば血液などの分析対象である試料Ｓが貯蔵されている。試料Ｓは、導入ノズル９３を介して導入槽９１１に導入される。電圧印加手段９２は、電源９２１および２つの電極９２２，９２３を備えている。分析に際しては、電極９２２が導入槽９１１に浸漬され、電極９２３が排出槽９１３に浸漬される。２つの電極９２２，９２３間に所定の電圧を印加すると、電気泳動による特定成分の分離が開始する。分離流路９１２の途中にある光透過部９１４を挟むように、発光部９４１および受光部９４２が配置されている。発光部９４１には、光源部９４３からの光が供給される。受光部９４２は、検出部９４４に接続されている。検出部９４４によってたとえば試料Ｓの吸光度を測定することにより、試料Ｓの特定成分の濃度を測定することができる。
【０００４】
検出部９４４の検出感度を高めることを目的として、発光部９４１からの光が照射される光透過部９１４を長くすることが提案されている（たとえば、特許文献２参照）。特許文献２に記載の構成は、分離流路９１２の流れ方向に沿って延びる線状の発光部９４１と、複数の受光センサが配列された受光部９４２とを備えている。この線状の発光部９４１から光透過部９１４に向けて光を照射し、透過した光を受光部９４２によって受光する。これにより、より長い部分を検出区間とすることが可能であり、検出感度を高めることができる。
【０００５】
しかしながら、線状の発光部９４１は、たとえばシリンドリカルレンズなどの光学部品を備える必要がある。また、受光部９４２には、相応の個数の受光センサを設ける必要がある。さらに、発光部９４１および受光部９４２を光透過部９１４に対して正確に位置決めすることは容易ではない。このように、分析装置の大型化、高コスト化、および分析作業の複雑化が招来されるという問題がある。
【先行技術文献】
【特許文献】
【０００６】
【特許文献１】特開２００９−１４５２４５号公報
【特許文献２】特開平１０−１３２７８３号公報
【発明の概要】
【発明が解決しようとする課題】
【０００７】
本発明は、上記した事情のもとで考え出されたものであって、検出感度を適切に高めることが可能な分析装置用マイクロチップを提供することをその課題とする。
【課題を解決するための手段】
【０００８】
本発明によって提供される分析装置用マイクロチップは、分析対象である特定成分が第１の方向に移動しつつ他の成分から分離される分離流路と、上記分離流路に対して上記第１の方向下流側に繋がっており、かつ上記第１の方向に対して直角である第２の方向における寸法および上記第１および第２の方向のいずれに対しても直角である第３の方向における寸法のいずれもが上記分離流路よりも大である拡大断面部を有し、かつ分析のための光が透過する光透過部と、を備える。
【０００９】
本発明の好ましい実施の形態においては、上記光透過部は、上記拡大断面部と上記分離流路との間に介在し、かつ上記第１の方向において上流側から下流側に向かうほど上記第２および第３の方向における寸法が大となる徐変部をさらに有する。
【００１０】
本発明の好ましい実施の形態においては、上記分離流路と上記拡大断面部とは、上記第２方向における寸法と上記第３方向における寸法との比が同一である。
【００１１】
本発明の好ましい実施の形態においては、上記分離流路および上記拡大断面部の上記第２方向における寸法と上記第３方向における寸法との比は、いずれも０．８以上１．２以下である。
【００１２】
本発明の好ましい実施の形態においては、互いに貼り合わされた２つの基板を備えており、上記分離流路および上記光透過部は、上記２つの基板に形成された溝によって構成されている。
【００１３】
本発明の好ましい実施の形態においては、上記分離流路と上記拡大断面部とは、上記第２および第３方向中心位置が一致している。
【００１４】
本発明の好ましい実施の形態においては、互いに貼り合わされた２つの基板を備えており、上記光透過部は、上記２つの基板のいずれか一方のみに形成された溝によって構成されている。
【００１５】
本発明の好ましい実施の形態においては、上記溝が形成された上記基板には、厚さ方向において上記光透過部と重なり、かつ上記光透過部を透過した光が入射する底面を有する受光側凹部が形成されている。
【００１６】
本発明の好ましい実施の形態においては、上記分離流路および上記光透過部の断面形状は、矩形状である。
【００１７】
本発明の好ましい実施の形態においては、上記分離流路および上記光透過部の断面形状は、円形状である。
【００１８】
本発明の好ましい実施の形態においては、キャピラリー電気泳動法を用いた分析を行う分析装置に装てんされる。
【００１９】
このような構成によれば、上記拡大断面部を透過する光の透過長さは、上記分離流路の同方向寸法よりも大である。たとえば、吸光度測定を行う場合、特定成分が通過しうる部分を透過する光の透過長さが長いほど、検出精度を高くなる。したがって、上記マイクロチップを用いた分析の検出精度を高めることができる。また、上記拡大断面部の上記第２および第３の方向における寸法のいずれもが、上記分離流路よりも大であることにより、上記分離流路から上記拡大断面部へと向かう流れが乱れることを抑制することができる。
【００２０】
本発明のその他の特徴および利点は、添付図面を参照して以下に行う詳細な説明によって、より明らかとなろう。
【図面の簡単な説明】
【００２１】
【図１】本発明の第１実施形態に基づく分析装置用マイクロチップおよびこれが装てんされた分析装置を示すシステム概要図である。
【図２】図１の分析装置用マイクロチップを示す平面図である。
【図３】図２のＩＩＩ−ＩＩＩ線に沿う断面図である。
【図４】図１の分析装置用マイクロチップの光透過部を示す要部平面図である。
【図５】図１の分析装置用マイクロチップを示す要部拡大断面図である。
【図６】図５のＶＩ−ＶＩ線に沿う要部断面図である。
【図７】本発明の第２実施形態に基づく分析装置用マイクロチップを示す要部断面図である。
【図８】本発明の第３実施形態に基づく分析装置用マイクロチップを示す要部断面図である。
【図９】図８のＩＸ−ＩＸ線に沿う要部断面図である。
【図１０】従来の分析装置用マイクロチップおよびこれが装てんされた分析装置の一例を示すシステム概要図である。
【発明を実施するための形態】
【００２２】
以下、本発明の好ましい実施の形態につき、図面を参照して具体的に説明する。
【００２３】
図１〜図６は、本発明の第１実施形態に基づく分析装置用マイクロチップを示している。本実施形態のマイクロチップ１１は、基板１ａ，１ｂが貼り合わされた構造とされており、導入槽２１、分離流路２２、光透過部２４、排出流路２５、および排出槽２３を有する。マイクロチップ１１は、たとえばキャピラリー電気泳動法を用いた分析を行う分析装置Ａに装てんされるものである。本分析の分析対象となる特定成分としては、たとえば試料として血液を用いた場合、Ａ１ｃに代表されるヘモグロビンが挙げられるが、これに限定されるものではない。
【００２４】
基板１ａ，１ｂは、透明な樹脂からなる長矩形状の板状部材であり、マイクロチップ１１の本体となるものである。透明な樹脂としては、ＰＤＭＳ（シリコーン樹脂）、ＰＭＭＡ（アクリル樹脂）、ＰＳ（ポリスチレン樹脂）、ＰＣ（ポリカーボネート樹脂）が挙げられる。基板１ａ，１ｂのサイズは、たとえばその長さが５８ｍｍ程度、幅が９ｍｍ程度、厚さが１．５ｍｍ程度とされる。
【００２５】
導入槽２１は、キャピラリー電気泳動法に用いられるバッファと呼ばれる泳動液や分析対象の試料Ｓが導入される槽であり、分離流路２２に繋がっている。上記泳動液の一例としては、たとえば１００ｍＭりんご酸−アルギニンバッファ（ｐＨ５．０）＋１．５％コンドロイチン硫酸Ｃナトリウムが挙げられる。試料Ｓは、たとえば血液である。本実施形態においては、導入槽２１は、基板１ａに形成された貫通孔によって構成されており、その断面形状は、長手方向寸法が５．６ｍｍ、幅寸法が１．２ｍｍの略楕円形状とされている。
【００２６】
分離流路２２は、マイクロチップ１１の長手方向であるｘ方向に長く延びており、キャピラリー電気泳動法において分析対象となる特定成分を分離するために用いられる。分離流路２２は、たとえば断面形状が４０μｍ角の正方形状とされており、その長さが２０ｍｍ程度とされている。図５および図６に示すように、分離流路２２は、基板１ａに形成された溝２２ａおよび基板１ｂに形成された溝２２ｂによって構成されている。なお、分離流路２２の断面形状としては、ｙ方向寸法とｚ方向寸法との比（以下、断面アスペクト比）が０．８〜１．２であることが好ましい。
【００２７】
光透過部２４は、吸光度測定のための光が透過する部分であり、分離流路２２に繋がっている。図４〜図６に示すように、光透過部２４は、拡大断面部２４０および徐変部２４１，２４２を有している。なお、図４は、基板１ｂを示す平面図である。
【００２８】
拡大断面部２４０は、光透過部２４のｘ方向中央に配置されており、吸光度測定のための光を透過させる機能のほとんどを果たす部分である。本実施形態においては、拡大断面部２４０は、断面形状が４５μｍ角の正方形状とされており、そのｘ方向長さが２．５ｍｍ程度とされている。なお、拡大断面部２４０の断面形状としては、断面アスペクト比が０．８〜１．２であることが好ましい。
【００２９】
徐変部２４１は、分離流路２２と拡大断面部２４０とを連結する部分であり、ｘ方向において分離流路２２から拡大断面部２４０へと向かうほど断面寸法が大となっている。本実施形態の徐変部２４１は、その断面形状が分離流路２２および拡大断面部２４０と同様に矩形状（正方形状）とされている。
【００３０】
徐変部２４２は、拡大断面部２４０と排出流路２５とを連結する部分であり、ｘ方向において拡大断面部２４０から排出流路２５へと向かうほど断面寸法が小となっている。本実施形態の徐変部２４２は、その断面形状が拡大断面部２４０および排出流路２５と同様に正方形状とされている。
【００３１】
分離流路２２の内面および拡大断面部２４０の内面と徐変部２４１の内面とがなす角度は、たとえば３０度程度とされている。また、拡大断面部２４０の内面および排出流路２５の内面と徐変部２４２の内面とがなす角度も、たとえば３０度程度とされている。
【００３２】
図５および図６に示すように、光透過部２４は、基板１ａに形成された溝２４ａと基板１ｂに形成された溝２４ｂとによって構成されている。溝２４ａは、溝２４０ａ，２４１ａ，２４２ａからなり、溝２４ｂは、溝２４０ｂ，２４１ｂ，２４２ｂからなる。溝２４０ａ，２４０ｂによって拡大断面部２４０が構成されており、溝２４１ａ，２４１ｂによって徐変部２４１が構成されており、溝２４２ａ，２４２ｂによって徐変部２４２が構成されている。
【００３３】
排出流路２５は、ｘ方向に長く延びており、光透過部２４と排出槽２３とを連結している。排出流路２５は、たとえば断面形状が４０μｍ角の正方形状とされており、その長さが１０ｍｍ程度とされている。図５および図６に示すように、排出流路２５は、基板１ａに形成された溝２５ａおよび基板１ｂに形成された溝２５ｂによって構成されている。なお、排出流路２５の断面形状としては、断面アスペクト比が０．８〜１．２であることが好ましい。
【００３４】
排出槽２３は、キャピラリー電気泳動法に用いられるバッファと呼ばれる泳動液や分析対象の試料Ｓが排出される槽であり、排出流路２５に繋がっている。本実施形態においては、排出槽２３は、基板１ａに形成された貫通孔によって構成されており、その断面形状は、長手方向寸法が５．６ｍｍ、幅寸法が１．２ｍｍの略楕円形状とされている。
【００３５】
発光側凹部２７は、基板１ａの表面からｚ方向に凹んだ形状とされており、キャピラリー電気泳動法を用いた分析を行うための光が入射する部位である。図５および図６に示すように、発光側凹部２７は、外側凹部２７１および内側凹部２７２からなる。
【００３６】
外側凹部２７１は、基板１ａの表面から凹んだ部分であり、たとえば断面形状が直径３ｍｍ程度の円形、深さが０．８ｍｍ程度とされている。内側凹部２７２は、外側凹部２７１の底面から凹んだ部分であり、断面形状が直径０．６ｍｍ程度の円形、深さが０．２ｍｍ程度とされている。ｚ方向視において、内側凹部２７２は、光透過部２４の拡大断面部２４０と重なっている。内側凹部２７２の底面は、透過面２７３とされている。
【００３７】
受光側凹部２８は、基板１ｂの表面から厚さ方向に凹んだ形状とされており、キャピラリー電気泳動法を用いた分析を行うための光が出射する部位である。本実施形態においては、受光側凹部２８は、略円錐台とされており、開口部が直径２ｍｍ程度の円形、深さが０．１３ｍｍ程度とされている。
【００３８】
図４および図５に示すように、受光側凹部２８は、透過面２８１および反射面２８２を有している。透過面２８１は、受光側凹部２８の底面であり、直径３３μｍ程度の円形である。反射面２８２は、円錐台の側面に当たる面である。受光側凹部２８は、光透過部２４の拡大断面部２４０を挟んで発光側凹部２７とは反対側に形成されている。ｚ方向視において、透過面２８１の中心と拡大断面部２４０の中心線とは一致するように正対している。
【００３９】
図１に示すように、マイクロチップ１１が装てんされる分析装置Ａは、電圧印加手段３、分析手段４、試料容器Ｂ、および導入ノズルＮｚを備えている。
【００４０】
電圧印加手段３は、分離流路２２を挟んで導入槽２１および排出槽２３からキャピラリー電気泳動法に必要な電圧を印加するためのものであり、電源部３１、導入側電極３２、および排出側電極３３を備えている。
【００４１】
電源部３１は、キャピラリー電気泳動法に必要な電圧を発生するためのものであり、たとえば１．５ｋＶ程度の電圧を発生する。導入側電極３２および排出側電極３３は、電源部３１の端子に接続されており、たとえば断面直径０．８〜１．０ｍｍのたとえばＣｕからなる棒状である。導入側電極３２は、導入槽２１に浸漬され、排出側電極３３は、排出槽２３に浸漬される。
【００４２】
分析手段４は、たとえば吸光度の測定を実行するものであり、発光部４１、受光部４２、光源部４３、および検出部４４によって構成されている。光源部４３は、吸光度測定に用いられる光を発生するためのものであり、たとえばレーザー素子またはＬＥＤ素子（図示略）を備える。たとえばＡ１ｃなどのヘモグロビンの濃度を分析する場合、光源部４３は、波長が４１５ｎｍの光を発生するが、これに限定されるものではない。発光部４１は、たとえば光ファイバーを介して光源部４３と接続されており、光源部４３からの光を光透過部２４に向けて照射する。本実施形態においては、図３に示すように、発光部４１の先端が発光側凹部２７に挿入される。図１に示すように、受光部４２は、光透過部２４からの光を受光する部位であり、たとえば光ファイバーを介して検出部４４と接続されている。検出部４４は、受光部４２が受けた光を検出する。
【００４３】
分析装置Ａを用いた分析に際しては、たとえば導入ノズルＮｚから導入槽２１へと泳動液Ｌｑが導入される。この泳動液Ｌｑは、導入槽２１、分離流路２２、光透過部２４、排出流路２５、および排出槽２３を満たす。ついで、試料容器Ｂに蓄えられた血液などの試料Ｓが導入ノズルＮｚに所定量だけ導入される。分析のために、試料Ｓを希釈することが必要な場合、図示しない希釈手段によって希釈された試料Ｓが用いられる。電源部３１から導入側電極３２および排出側電極３３に電圧が印加されると、試料Ｓの分離が始まる。電圧印加の時間が経過するにつれ、特定成分（たとえばＡ１ｃ）が他の成分から分離される。この分離された特定成分が分離流路２２を排出槽２３に向かって移動する。光透過部２４（拡大断面部２４０）を特定成分が通過すると、図３に示すように、発光部４１から光透過部２４（拡大断面部２４０）を透過して受光部４２へと向かう光の一部が特定成分によって吸光される。このときの光量の変化を検出する、いわゆる吸光度測定の原理によって特定成分（Ａ１ｃ）の濃度（通過量）が検出される。
【００４４】
次に、マイクロチップ１１の作用について説明する。
【００４５】
本実施形態によれば、発光部４１からの光が透過する拡大断面部２４０のｚ方向寸法は、分離流路２２のｚ方向寸法よりも大であり、本実施形態においては拡大断面部２４０の方が１０％強大きい。吸光度測定を行う場合、特定成分が通過しうる部分を透過する光の透過長さが長いほど、検出精度を高くなる。したがって、拡大断面部２４０を通過する特定成分（Ａ１ｃ）の検出精度を高めることができる。
【００４６】
拡大断面部２４０は、徐変部２４１を介して分離流路２２と繋がっている。このため、分離流路２２から拡大断面部２４０に至る経路においては、断面寸法が比較的緩やかに拡大しており、断面寸法が急激に拡大する部分がない。これは、分離流路２２において他の成分から分離された特定成分が流れの乱れによって再び他の成分と混合されてしまうことを防止するのに適している。
【００４７】
拡大断面部２４０は、断面アスペクト比が分離流路２２と同じである。分離流路２２と拡大断面部２４０とをつなぐ徐変部２４１も同様である。このため、分離流路２２から拡大断面部２４０へと特定成分が流れるときに、ｙｚ平面における流速分布が過度に乱されることを抑制することができる。また、分離流路２２、拡大断面部２４０、およびこれらを繋ぐ徐変部２４１の断面アスペクト比が１．０（正方形状）であることは、流れの乱れを抑制するのに好適である。
【００４８】
図７〜図９は、本発明の他の実施形態を示している。なお、これらの図において、上記実施形態と同一または類似の要素には、上記実施形態と同一の符号を付している。
【００４９】
図７は、本発明の第２実施形態に基づく分析装置用マイクロチップを示している。本実施形態のマイクロチップ１２は、分離流路２２および光透過部２４の断面形状が上述した実施形態と異なっている。本実施形態においては、分離流路２２および光透過部２４の断面形状は円形とされている。分離流路２２の断面直径は、たとえば４０μｍ程度であり、光透過部２４の拡大断面部２４０の断面直径は、たとえば４５μｍ程度である。分離流路２２および光透過部２４の断面形状としては、円形状のほかに楕円形状であってもよい。この場合、断面アスペクト比が０．８〜１．２であることが好ましい。
【００５０】
このような実施形態によっても、拡大断面部２４０を通過する特定成分（Ａ１ｃ）の検出精度を高めることができる。
【００５１】
図８および図９は、本発明の第３実施形態に基づく分析装置用マイクロチップを示している。本実施形態のマイクロチップ１３は、分離流路２２と光透過部２４との位置関係が、上述した実施形態と異なっている。
【００５２】
本実施形態においては、分離流路２２は、基板１ｂに形成された溝２２ｂのみによって構成されている。また、光透過部２４は、基板１ｂに形成された溝２４ｂのみによって形成されている。分離流路２２のｚ方向中心位置に対して、拡大断面部２４０のｚ方向中心は、ｚ方向下方に若干ずれている。
【００５３】
このような実施形態によっても、拡大断面部２４０を通過する特定成分（Ａ１ｃ）の検出精度を高めることができる。また、基板１ａには、分離流路２２および光透過部２４を構成するための溝を設ける必要がない。これにより、基板１ａの製作を簡略化することができる。
【００５４】
本発明に係る分析装置用マイクロチップは、上述した実施形態に限定されるものではない。本発明に係る分析装置用マイクロチップの各部の具体的な構成は、種々に設計変更自在である。
【符号の説明】
【００５５】
Ａ      電気泳動分析装置
Ｂ      試料容器
Ｌｑ    泳動液
Ｓ      試料
Ｎｚ    導入ノズル
１１〜１３  （電気泳動分析用）マイクロチップ
１ａ，１ｂ  基板
２１    導入槽
２２    分離流路
２２ａ，２２ｂ  溝
２３    排出槽
２４    光透過部
２４ａ，２４ｂ  溝
２４０  拡大断面部
２４１，２４２  徐変部
２４０ａ，２４０ｂ，２４１ａ，２４１ｂ，２４２ａ，２４２ｂ  溝
２５    排出流路
２５ａ，２５ｂ  溝
２７    発光側凹部
２７１  外側凹部
２７２  内側凹部
２７３  透過面
２８    受光側凹部
２８１  透過面
２８２  反射面
３      電圧印加手段
３１    電源部
３２    導入側電極
３３    排出側電極
４      分析手段
４１    発光部
４２    受光部
４３    光源部
４４    検出部
【図１】
2012068214.tif 000003
【図２】
2012068214.tif 000004
【図３】
2012068214.tif 000005
【図４】
2012068214.tif 000006
【図５】
2012068214.tif 000007
【図６】
2012068214.tif 000008
【図７】
2012068214.tif 000009
【図８】
2012068214.tif 000010
【図９】
2012068214.tif 000011
【図１０】
2012068214.tif 000012